(57)【要約】【課題】管を床下の側壁に近接させて配管することができるうえ、管支持受部材の高さ調整をスムーズに微調整する。【解決手段】管Ｐを載置して支持する支持部１１の基端に軸孔１２を設けてなる管支持受部材１と、前記管支持受部材１の軸孔１２を鉛直方向に貫通すると共に、その下端をベース基材４に結合して立設され、上下に亘ってネジ山２１が形成された支柱軸２と、前記支柱軸２のネジ山２１に螺合され、管支持受部材１の上下位置を規制するナット３と、を備えてなり、前記支柱軸２又はナット３の何れか一方のみを回転して、片持ち支持された管支持受部材１を上下に昇降させて、管Ｐの高さを調整可能にしたことを特徴とする。【選択図】図１
2006090444.tif 000002
【特許請求の範囲】
【請求項１】
管を載置して支持する支持部の基端に軸孔を設けてなる管支持受部材と、
前記管支持受部材の軸孔を鉛直方向に貫通すると共に、その下端をベース基材に結合して立設され、上下に亘ってネジ山が形成された支柱軸と、
前記支柱軸のネジ山に螺合され、管支持受部材の上下位置を規制するナットと、を備えてなり、
前記支柱軸又はナットの何れか一方のみを回転して、片持ち支持された管支持受部材を上下に昇降させて、管の高さを調整可能にしたことを特徴とする管支持具。
【請求項２】
請求項１において、
ナットを固定し、且つ、支柱軸を回転させて管支持受部材を上下に昇降させる構造にしたことを特徴とする管支持具。
【請求項３】
請求項１において、
支柱軸を固定し、且つ、ナットを回転させて管支持受部材を上下に昇降させる構造にしたことを特徴とする管支持具。
【請求項４】
請求項１〜３の何れかにおいて、
管支持受部材の基端側には、下方に向けて延設された延設片を形成すると共に、この延設片の外面に接して、管支持受部材の回転を規制する回転規制部材を支柱軸に並設したことを特徴とする管支持具。
【請求項５】
請求項１〜４の何れかにおいて、
管支持受部材の支持部は、上方に拡開して開放された断面略Ｖ形又は断面略Ｕ形に形成され、この支持部の両端には、管を押え付けるための伸縮・変形可能な押付け部材を連結したことを特徴とする管支持具。
【請求項６】
請求項５において、
押付け部材は、これ自体が伸縮可能な弾性材料であることを特徴とする管支持具。
【請求項７】
請求項５において、
押付け部材は、非伸縮な材料であり、且つ、支持部の先端に、当該押付け部材を貫通させる通孔を形成すると共に、この押付け部材に圧着可能な止め具を設けてなり、管の外径、形状に応じて押付け部材の先端を引っ張り、その長さを調整して前記止め具で固定する構造にしたことを特徴とする管支持具。
【発明の詳細な説明】
【技術分野】
【０００１】
本発明は、マンション等の住宅の床下や天井裏等に配管される給水管、排水管、ガス管等の様々な管を支持するための管支持具に関する。
【背景技術】
【０００２】
従来より、例えば、マンション等の住宅の床下に配管される排水管を支持するための排水管支持具が知られている。
【０００３】
この排水管支持具は、排水管を載置して保持する管支持受部材と、この管支持受部材の両端に設けられた一対の支柱と、これら支柱の下端に架設して固定されたベース板と、相対向する支柱の高さ方向に連続する凹凸部を各々形成し、その凹部に管支持受部材の両端を係止させて管支持受部材を所定の高さに固定可能な一対の位置固定手段を備えて成る（例えば、特許文献１参照。）。
【０００４】
このような排水管支持具を用いて排水管を配管するには、ベース板を床下のコンクリート基礎上にボルト等で固定すると共に、位置固定手段を操作して管支持受部材を所定の高さ位置に固定し、その位置固定された管支持受部材に排水管を載置して支持するのである。
【特許文献１】特開２００３−２１３７５２号
【発明の開示】
【発明が解決しようとする課題】
【０００５】
しかしながら、従来の排水管支持具には、排水管を支持する管支持受部材の両端に、一対の支柱が対向して立設されている。
【０００６】
そのため、例えば、床下のコンクリート床面に立設する側壁近傍に排水管を配管したい場合等には、一方の支柱が邪魔になってしまい、排水管を前記側壁に近接させて配管できないという問題があった。
【０００７】
また、位置固定手段は、一対の支柱の各々に設けられているので、管支持受部材を高さ調整する場合には、位置固定手段の高さ調整操作を２回も行う手間があり、高さ調整操作に手間を要するという問題もあった。
【０００８】
しかも、位置固定手段は、支柱に形成された凹凸部の凹部に管支持受部材の両端を係止させる構造であるため、管支持受部材の高さ調整は、前記凹凸部の凹部の間隔でしか調整することができず、管支持受部材の高さを微調整できないという問題もあった。
【０００９】
更に、管支持受部材の形状は、排水管等の外径、形状に応じて形成されているが、排水管等の外径、形状に応じた管支持受部材を形成すれば、管理上不便であるうえ、生産コストも高くなってしまうという問題もあった。
【００１０】
本発明は、かかる課題を解決することを目的とするもので、排水管等の管を床下の側壁に近接させて配管することができるうえ、管支持受部材の高さ調整をスムーズに微調整でき、しかも、１つの管支持受部材で種々の管の外径、形状に対応可能な管支持具を提供する。
【課題を解決するための手段】
【００１１】
上記目的を達成するため、
請求項１に係る管支持具は、管を載置して支持する支持部の基端に軸孔を設けてなる管支持受部材と、前記管支持受部材の軸孔を鉛直方向に貫通すると共に、その下端をベース基材に結合して立設され、上下に亘ってネジ山が形成された支柱軸と、前記支柱軸のネジ山に螺合され、管支持受部材の上下位置を規制するナットと、を備えてなり、前記支柱軸又はナットの何れか一方のみを回転して、片持ち支持された管支持受部材を上下に昇降させて、管の高さを調整可能にしたことを特徴とする。
【００１２】
請求項２に係る管支持具は、請求項１において、ナットを固定し、且つ、支柱軸を回転させて管支持受部材を上下に昇降させる構造にしたことを特徴とする。
【００１３】
請求項３に係る管支持具は、請求項１において、支柱軸を固定し、且つ、ナットを回転させて管支持受部材を上下に昇降させる構造にしたことを特徴とする。
【００１４】
請求項４に係る管支持具は、請求項１〜３の何れかにおいて、管支持受部材の基端側には、下方に向けて延設された延設片を形成すると共に、この延設片の外面に接して、管支持受部材の回転を規制する回転規制部材を支柱軸に並設したことを特徴とする。
【００１５】
請求項５に係る管支持具は、請求項１〜４の何れかにおいて、管支持受部材の支持部は、上方に拡開して開放された断面略Ｖ形又は断面略Ｕ形に形成され、この支持部の両端には、管を押え付けるための伸縮・変形可能な押付け部材を連結したことを特徴とする。
【００１６】
請求項６に係る管支持具は、請求項５において、押付け部材は、これ自体が伸縮可能な弾性材料であることを特徴とする。
【００１７】
請求項７に係る管支持具は、請求項５において、押付け部材は、非伸縮な材料であり、且つ、支持部の先端に、当該押付け部材を貫通させる通孔を形成すると共に、この押付け部材に圧着可能な止め具を設けてなり、管の外径、形状に応じて押付け部材の先端を引っ張り、その長さを調整して前記止め具で固定する構造にしたことを特徴とする。
【発明の効果】
【００１８】
本発明によれば、次のような効果がある。
請求項１に係る管支持具によれば、支柱軸は、管支持受部材の片側にのみ立設された片持ち支持の構造であるため、例えば、床下のコンクリート床面に立設する側壁近傍に管を配管したい場合等にも、支柱軸のない側を側壁に位置させて前記管を設置すれば、支柱軸が邪魔にならず、管を側壁に近接させて配管することができる。
【００１９】
又、管の高さ調整は、支柱軸又はナットの何れか一方のみを、回転操作するだけで良く、高さ調整操作を素早く行うことができる。
【００２０】
しかも、管の高さ調整は、支柱軸のネジ山と、ナットとの螺合によって管支持受部材を上下に昇降させて行う構造であるため、この管支持受部材の高さ位置は、所望の位置にスムーズに微調整できる。
【００２１】
請求項２に係る管支持具によれば、支柱軸だけを回転させて管支持受部材を上下に昇降させることができる。
【００２２】
請求項３に係る管支持具によれば、ナットだけを回転させて管支持受部材を上下に昇降させることができる。
【００２３】
請求項４に係る管支持具によれば、管支持受部材の基端側に延設された延設片の外面と、この延設片に並設された回転規制部材とが接合して、管支持受部材の回転を規制する構造にしている。
【００２４】
そのため、支柱軸で片持ち支持された管支持受部材の軸孔を支点にして、管の下方への加重に対する回転作用を、延設片と回転規制部材とで受け止めて支持することができ、片持ち支持した構造であっても、管の加重に対する強度を十分に得ることができる。又、管支持受部材の軸孔を支点にして、軸孔の周方向（或いは水平方向への加重に対する回転作用を、延設片と回転規制部材とで受け止めて支持することができ、片持ち支持した構造であっても、管の加重に対する強度を十分に得ることができる。
【００２５】
請求項５に係る管支持具によれば、管支持受部材の支持部は、上方が開放された断面略Ｖ形又は断面略Ｕ形に形成しているので、管の外径、形状が変更されても、同じ支持部によって、載置して支持することができる。加えて、支持部の両端には、管を押え付けるための伸縮・変形可能な押付け部材を連結しているので、管の外径、形状が変更されても、、管が設置される位置（センター）が変芯することなく、所定の位置となり、当該管が揺らいだりすることなく、確実に抱持して固定できる。
【００２６】
請求項６に係る管支持具によれば、押付け部材は、ゴムベルト、コイルバネ等を利用して、これ自体を伸縮可能な弾性材料で形成することができ、管の外径、形状が変更されても、当該管が揺らいだりすることなく、確実に抱持して固定できる。
【００２７】
請求項７に係る管支持具によれば、押付け部材は、金属線、紐等の非伸縮な材料で形成し、管の外径、形状に合わせて、押付け部材の先端を引っ張って、その長さを止め具で固定するだけで、管の外径、形状がが変更されても、当該管が揺らいだりすることなく、確実に抱持して固定できる。
【発明を実施するための最良の形態】
【００２８】
以下、本発明に係る管支持具Ａを図面とともに説明する。
【実施例１】
【００２９】
図１は、本発明に係る管支持具Ａの一実施例を示す使用状態の概略側面図である。
【００３０】
この管支持具Ａは、管Ｐを載置して支持する支持部１１の基端に軸孔１２を設けてなる管支持受部材１と、この管支持受部材１の軸孔１２を鉛直方向に貫通すると共に、その下端をベース基材４に結合して立設され、上下に亘ってネジ山２１が形成された支柱軸２と、この支柱軸２のネジ山２１に螺合され、管支持受部材１の上下位置を規制するナット３と、を備えてなり、支柱軸２又はナット３の何れか一方のみを回転して、片持ち支持された管支持受部材１を上下に昇降させて、管Ｐの高さを調整可能にしたものである。
【００３１】
管支持受部材１は、金属板の両側縁を折り曲げて形成することで強度を維持しており、その基端に軸孔１２を開設している。
【００３２】
本実施例では、管支持受部材１の基端側に、下方に向けて延設された延設片５を更に形成すると共に、この延設片５の外面に接して、管支持受部材１の回転を規制する回転規制部材６を支柱軸２に並設している。
【００３３】
そのため、支柱軸２で片持ち支持された管支持受部材１の軸孔１２を支点にして、管Ｐの下方への加重に対する回転を、延設片５と回転規制部材６とで受け止めて支持することができ、片持ち支持された管支持受部材１の構造であっても、管支持受部材１が管Ｐの加重によって撓んだりすることがなく、特に、大型の管Ｐのように、大きな加重がかかる場合等であっても、管支持受部材１が撓むことなく、管Ｐに対する強度を十分に確保できる。
【００３４】
なお、管支持受部材１の回転とは、軸孔１２を支点にして図中時計方向に回転するだけではなく、図１の点線で囲んだ部分拡大図に示すように、延設片５が支柱軸２を中心にして周方向（或いは水平方向）へ回転することも意味している。
【００３５】
また、管支持受部材１の支持部１１は、上方に拡開して開放された断面略Ｖ形又は断面略Ｕ形に形成している。
【００３６】
このような断面略Ｖ形又は断面略Ｕ形の支持部１１であれば、図中二点鎖線で示すように、外径の異なる管Ｐを同じ支持部１１で載置して支持できるので、管Ｐの外径、形状に応じた支持部１１を製造する必要がなく、管理上も容易であるうえ、生産コストも安価にできる。
【００３７】
また、管Ｐを支持部１１に載置して支持するだけでは、管Ｐに揺れが生じ易いので、本実施例では、更に、支持部１１の両端に、管Ｐを押え付けるための伸縮・変形可能な押付け部材７を連結している。
【００３８】
この押付け部材７は、これ自体が伸縮可能な弾性材料を使用するか、又は、これ自体は伸縮しないが、その長さを調整して変形させて管Ｐを押え付けるものが使用できる。
【００３９】
前者の押付け部材７としては、例えば、伸縮可能な軟質のゴムベルト、コイルバネ等を用いることができ、これらを支持部１１の両端に固定しておけば、管Ｐの外径、形状に応じて伸縮されて管Ｐを押え付けることができる。
【００４０】
後者の押付け部材７としては、図中に例示するように、例えば、金属線、金属帯板、硬質のゴムベルト、紐材等の非伸縮な材料で形成し、且つ、支持部１１の先端に、押付け部材７を貫通させる通孔７１を形成すると共に、この押付け部材７に圧着可能な止め具７２を設けてなる。
【００４１】
そして、異なる外径、形状の管Ｐに応じて押付け部材７の先端を図中矢印で示すように下方に引っ張りながら押付け部材７を管Ｐに押し付けると共に、押付け部材７の先端付近には、孔、長孔、カギ孔等が設けられ、止め具７２を通孔７１に螺合して固定すれば、管Ｐの外径、形状に応じて押付け部材７の長さを調整できる。なお、止め具７２及び通孔７１を使用して、押付け部材７を固定する場所は、図中の位置に限定されるものではなく、要は、管Ｐの外径、形状に応じて押付け部材７の長さを調整できる位置であれば良い。
【００４２】
このように、何れの押付け部材７であっても、たとえ管Ｐの外径、形状が変更されても、管Ｐを確実に抱持して固定可能であるため、管Ｐが揺らいだりすることを防止できる。
【００４３】
支柱軸２は、全体にネジ山２１が形成された棒材を用い、その下端は、金属板等で形成されたベース基材４に結合している。一方、支柱軸２の上端は、開放したままでも良いが、本実施例では、回転規制部材６の上端を支柱軸２の上方に向けて曲げ加工し、支柱軸２の上端が回転規制部材６に結合された構造にしている。
【００４４】
このような構造にすれば、支柱軸２の上、下端が、回転規制部材６及びベース基材４によって確実に支持することができ、支柱軸２と回転規制部材６が並設される間隔が平行に保たれ、延設片５を確実に受け止めることができる。なお、このベース基材４には、回転規制部材６の下端も並設して固定している。
【００４５】
ここで、支柱軸２の上、下端を結合させると表現したのは、支柱軸２自体を回転させる構造、又は、支柱軸２自体を固定する構造の両方の意味を含めるためである。
【００４６】
すなわち、前者の構造の場合には、ナット３を管支持受部材１の軸孔１２に重合させて固定し、且つ、これに貫通された支柱軸２の上、下端を、回転規制部材６及びベース基材４に回転可能に取り付けることで、支柱軸２自体を回転可能にしており、この支柱軸２を左右何れかの方向に回転操作すれば、ナット３に固定された管支持受部材１を上下に昇降させることができる。
【００４７】
このような支柱軸２だけを回転操作して管支持受部材１を上下に昇降させることができる構造であれば、例えば、支柱軸２の上端面に凹溝・十字穴・六角穴・六角頭・二面幅等（不図示）を形成しておき、この凹溝・十字穴・六角穴・六角頭・二面幅等（不図示）にドライバー等の工具先端を差し込んで廻すだけで、管支持受部材１を上下に昇降させることができるので、床下等に管支持具Ａが設置されている場合等には、上方からの昇降操作が可能となり、作業性を高めることができる。
【００４８】
一方、後者の構造の場合には、支柱軸２の上、下端を回転規制部材６及びベース基材４に固定し、且つ、ナット３を管支持受部材１に固定せずに回転可能にしており、このナット３を左右何れかの方向に回転操作すれば、支柱軸２の上下方向にナット３が移動され、その位置で管支持受部材１の移動位置を規制することができる。
【００４９】
この場合、ナット３は、管支持受部材１の位置を規制するため、管支持受部材１の上、下に各々設けていれば良いが、本実施例では、管支持受部材１の強度を更に補強するために、支持部１１の略中央から支柱軸２を介して延設片５の下端に固定した補強部材８を架設しており、この補強部材８の下端にナット３を設けたものを例示している。
【００５０】
このようなナット３だけを回転操作して管支持受部材１を上下に昇降させることができる構造であれば、一般のナット３を使用することができるので構造が容易であり、このナット３にスパナ等の工具先端を嵌合して廻すだけで、管支持受部材１を上下に昇降させることができる。
【００５１】
このように、何れの構造であっても、支柱軸２に形成されたネジ山２１と、ナット３との螺合作用によって管支持受部材１を上下に昇降させるため、管支持受部材１の高さ位置を調整するときには、その螺合作用によって、管支持受部材１を所望の位置にまでスムーズに微調整できる。
【００５２】
以上、説明した通り、本発明の管支持具Ａによれば、支柱軸２は、管支持受部材１の片側にのみ立設された片持ち支持の構造であるため、例えば、床下のコンクリート床面に立設する側壁近傍に管Ｐを配管したい場合等にも、支柱軸２のない側（管支持受部材１の先端側）を前記側壁に位置させて設置すれば、支柱軸２が邪魔にならず、管Ｐを前記側壁に近接させて配管することが可能となる。
【００５３】
また、管Ｐの高さ調整は、支柱軸２又はナット３の何れか一方のみを、回転操作するだけで良く、高さ調整操作を素早く行うことができ、作業性を高めることができる。
【産業上の利用可能性】
【００５４】
本発明は、マンション等の住宅の床下や天井裏等に配管される給水管、排水管、ガス管等の様々な管を支持するための管支持具として有効に利用することが可能である。
【図面の簡単な説明】
【００５５】
【図１】本発明に係る管支持具Ａの一実施例を示す使用状態の概略側面図である。
【符号の説明】
【００５６】
Ａ    管支持具
Ｐ    管
１    管支持受部材
１１  支持部
１２  軸孔
２    支柱軸
２１  ネジ山
３    ナット
４    ベース基材
５    延設片
６    回転規制部材
７    押付け部材
７１  通孔
７２  止め具
【図１】
2006090444.tif 000003